(57)【要約】【課題】ソケットハウジングにおけるロックアームとは反対側がベースハウジングから分離しにくく、ロックアームの支点部が破損しにくいソケットコネクタを提供する。【解決手段】ラッチ部３６を有するベースハウジング３１を備えるベースコネクタ３０と組み合わされて使用されるソケットコネクタ１０であって、ソケットハウジング１２とロックアーム１５とを備え、ソケットハウジング１２におけるロックアーム１５とは反対向きの第５方向Ｄ５側に、ロックアーム１５の回動軸に沿う第３方向Ｄ３の外側にそれぞれ突出する一対の嵌合ガイドリブ５１が設けられ、ベースハウジング３１に、一対の嵌合ガイドリブ５１をベースハウジング３１における第５方向Ｄ５側で且つ組み合わせ状態においてソケットコネクタ１０からベースコネクタ３０に向かう第１方向Ｄ１側の位置に誘導する一対の嵌合ガイドリブ用溝５１が設けられている。【選択図】図１
2010027532.tif 000002
【特許請求の範囲】
【請求項１】
ラッチ部を有するベースハウジングを備え且つ回路基板に固定されるベースコネクタと組み合わされて使用されるソケットコネクタであって、
ソケットハウジングと、該ソケットハウジングの外面に連結されると共に前記ソケットコネクタと前記ベースコネクタとが組み合わされた組み合わせ状態において前記ラッチ部と係合することにより前記ソケットコネクタと前記ベースコネクタとの結合状態を維持するロックアームと、を備え、
前記組み合わせ状態において、前記ソケットコネクタから前記ベースコネクタに向かう方向を第１方向といい、該第１方向とは反対向きの方向を第２方向といい、前記ロックアームの回動軸に沿う方向を第３方向といい、該第１方向及び該第３方向に直交すると共に前記ソケットハウジングの中央部から該ロックアームに向かう方向又は前記ベースハウジングの中央部から前記ラッチ部に向かう方向を第４方向といい、該第４方向とは反対向きの方向を第５方向という場合に、
前記ソケットハウジングにおける前記第５方向側に、前記第３方向の外側にそれぞれ突出する一対の嵌合ガイドリブが設けられ、
前記ベースハウジングに、一対の前記嵌合ガイドリブを該ベースハウジングにおける該第５方向側で且つ前記第１方向側の位置に誘導する一対の嵌合ガイドリブ用溝が設けられているソケットコネクタ。
【請求項２】
前記嵌合ガイドリブ用溝は、その前記第５方向側で且つ前記第１方向側の位置に、該第５方向に延びると共に前記組み合わせ状態において前記嵌合ガイドリブを収納可能な嵌合ガイドリブ係止部を備えている請求項１に記載のソケットコネクタ。
【請求項３】
前記ソケットハウジングにおける前記第４方向側に、前記第３方向の外側にそれぞれ突出する一対の側面リブが設けられ、
前記ベースハウジングに、一対の前記側面リブを該ベースハウジングにおける前記第４方向側で且つ前記第１方向側の位置に誘導する一対の側面リブ用溝が設けられている請求項１又は２に記載のソケットコネクタ。
【請求項４】
前記側面リブにおける前記第４方向側で且つ前記第１方向側に、前記第５方向側に且つ該第１方向側に向けて傾斜する側面リブ傾斜部が形成されている請求項３に記載のソケットコネクタ。
【発明の詳細な説明】
【技術分野】
【０００１】
本発明は、回路基板に固定されるベースコネクタと組み合わされて使用されるソケットコネクタに関する。
【背景技術】
【０００２】
従来より、回路基板に固定されたベースコネクタと、ソケットコネクタとからなるコネクタ対（以下「ソケット−ベースコネクタ対」ともいう）が知られている。また、ソケット−ベースコネクタ対においては、ソケットコネクタとベースコネクタとの結合状態を維持する構成として、ソケットコネクタのソケットハウジングにロックアームを設けると共に、ベースコネクタのベースハウジングにラッチ部を設けたものがある（例えば、下記特許文献１参照）。
【０００３】
図１２は、特許文献１に記載のソケット−ベースコネクタ対について、ロックアーム及びラッチ部を通るように切断した断面図である。
図１２に示すように、特許文献１に記載のソケットコネクタ１１０においては、ロックアーム１１５は、フック部１１５ａと、力点部１１５ｂと、フック部１１５ａと力点部１１５ｂの間に位置し且つソケットハウジング１１２の外面に連接されるヒンジ状の支点部１１５ｃとを備え、支点部１１５ｃを中心にフック部１１５ａ及び力点部１１５ｂが回動可能に構成されている。また、従来のベースコネクタ１３０においては、ラッチ部１３６は、ベースハウジング１３１の外面に連接される爪部を有する。
【０００４】
ロックアーム１１５及びラッチ部１３６によれば、ソケットコネクタ１１０とベースコネクタ１３０とが組み合わされた組み合わせ状態において、ロックアーム１１５のフック部１１５ａとラッチ部１３６とが係合されることにより、ソケットコネクタ１１０とベースコネクタ１３０との結合状態を維持することができる。
【０００５】
ここで、前記組み合わせ状態において、ソケットコネクタ１１０からベースコネクタ１３０に向かう方向を第１方向Ｄ１といい、第１方向Ｄ１とは反対向きの方向を第２方向Ｄ２といい、ロックアーム１１５の回動軸に沿う方向（図１２において紙面を貫く方向）を第３方向Ｄ３といい、第１方向Ｄ１及び第３方向Ｄ３に直交すると共にソケットハウジング１１２の中央部からロックアーム１１５に向かう方向又はベースハウジング１３１の中央部からラッチ部１３６に向かう方向を第４方向Ｄ４といい、第４方向Ｄ４とは反対向きの方向を第５方向Ｄ５という。
【０００６】
【特許文献１】特開２０００−２００６５３号公報
【発明の開示】
【発明が解決しようとする課題】
【０００７】
しかし、特許文献１に記載のソケット−ベースコネクタ対においては、ソケットコネクタ１１０とベースコネクタ１３０との組み合わせが不完全な状態で、ロックアーム１１５のフック部１１５ａとラッチ部１３６とが係合される状態（以下「不完全組み合わせ状態」）が発生しやすい。詳述すると、ソケットハウジング１１２をベースハウジング１３１に接近させて両者を嵌合させる際に、ソケットハウジング１１２における第５方向Ｄ５側がスムーズに嵌合されず、ソケットハウジング１１２における第４方向Ｄ４側の方がスムーズに嵌合される。その結果、ソケットハウジング１１２における第５方向Ｄ５側がベースハウジング１３１に嵌合されていない状態で、ロックアーム１１５がラッチ部１３６に係合し、前記不完全組み合わせ状態が発生する。
【０００８】
不完全組み合わせ状態が一旦発生すると、ソケットハウジング１１２における第５方向Ｄ５側をベースハウジング１３１に押し込みにくくなるため、ソケットハウジング１１２をベースハウジング１３１から一旦外して嵌合し直さないと、不完全組み合わせ状態を解消することは難しい。
【０００９】
従って、本発明は、ラッチ部を有するベースハウジングを備え且つ回路基板に固定されるベースコネクタと組み合わされて使用される、ソケットハウジング及びロックアームを備えるソケットコネクタにおいて、ソケットハウジングがベースハウジングに完全に組み合わされた状態でロックアームとラッチ部とを容易に係合することができるソケットコネクタを提供することを目的とする。
【課題を解決するための手段】
【００１０】
（１）本発明は、ラッチ部を有するベースハウジングを備え且つ回路基板に固定されるベースコネクタと組み合わされて使用されるソケットコネクタであって、ソケットハウジングと、該ソケットハウジングの外面に連結されると共に前記ソケットコネクタと前記ベースコネクタとが組み合わされた組み合わせ状態において前記ラッチ部と係合することにより前記ソケットコネクタと前記ベースコネクタとの結合状態を維持するロックアームと、を備え、前記組み合わせ状態において、前記ソケットコネクタから前記ベースコネクタに向かう方向を第１方向といい、該第１方向とは反対向きの方向を第２方向といい、前記ロックアームの回動軸に沿う方向を第３方向といい、該第１方向及び該第３方向に直交すると共に前記ソケットハウジングの中央部から該ロックアームに向かう方向又は前記ベースハウジングの中央部から前記ラッチ部に向かう方向を第４方向といい、該第４方向とは反対向きの方向を第５方向という場合に、前記ソケットハウジングにおける前記第５方向側に、前記第３方向の外側にそれぞれ突出する一対の嵌合ガイドリブが設けられ、前記ベースハウジングに、一対の前記嵌合ガイドリブを該ベースハウジングにおける該第５方向側で且つ前記第１方向側の位置に誘導する一対の嵌合ガイドリブ用溝が設けられていることを特徴とする。
【００１１】
（２）前記嵌合ガイドリブ用溝は、その前記第５方向側で且つ前記第１方向側の位置に、該第５方向に延びると共に前記組み合わせ状態において前記嵌合ガイドリブを収納可能な嵌合ガイドリブ係止部を備えていることが好ましい。
【００１２】
（３）前記ソケットハウジングにおける前記第４方向側に、前記第３方向の外側にそれぞれ突出する一対の側面リブが設けられ、前記ベースハウジングに、一対の前記側面リブを該ベースハウジングにおける前記第４方向側で且つ前記第１方向側の位置に誘導する一対の側面リブ用溝が設けられていることが好ましい。
【００１３】
（４）前記側面リブにおける前記第４方向側で且つ前記第１方向側に、前記第５方向側に且つ該第１方向側に向けて傾斜する側面リブ傾斜部が形成されていることが好ましい。
【発明の効果】
【００１４】
本発明によれば、ラッチ部を有するベースハウジングを備え且つ回路基板に固定されるベースコネクタと組み合わされて使用される、ソケットハウジング及びロックアームを備えるソケットコネクタにおいて、ソケットハウジングがベースハウジングに完全に組み合わされた状態でロックアームとラッチ部とを容易に係合することができる。
【発明を実施するための最良の形態】
【００１５】
以下に、本発明のソケットコネクタの好ましい一実施形態について、図面を参照しながら説明する。
図１は、本発明の一実施形態のソケットコネクタ１０とベースコネクタ３０とを分離した状態でソケットコネクタ１０側から視た斜視図である。図２は、図１に示すソケットコネクタ１０とベースコネクタ３０とを組み合わせた状態でソケットコネクタ１０側から視た斜視図である。図３は、組み合わされた状態のソケットコネクタ１０及びベースコネクタ３０を、図５に示すＡ−Ａ線で切断した断面図である。図４（Ａ）及び（Ｂ）は、ソケットコネクタ１０と組み合わせて使用されるベースコネクタ３０を示す斜視図である。図５（Ａ）は、図４に示すベースコネクタ３０を示す平面図、図５（Ｂ）は、図５（Ａ）に示すＡ−Ａ線断面図、図５（Ｃ）は、（Ａ）に示すＢ−Ｂ線断面図である。
【００１６】
図６（Ａ）及び（Ｂ）は、本発明の一実施形態のソケットハウジング１２の斜視図である。図７（Ａ）は、図６に示すソケットコネクタ１０を示す平面図、図７（Ｂ）は、ソケットコネクタ１０の側面図、図７（Ｃ）は、（Ａ）に示すＣ−Ｃ線断面図である。図８は、図６に示すソケットハウジング１２について、図７（Ａ）に示すＤ−Ｄ線で切断した断面斜視図である。図９は、図６に示すソケットハウジング１２について、図７（Ａ）に示すＥ−Ｅ線で切断した断面斜視図である。
【００１７】
図１〜図３に示すように、本実施形態のソケットコネクタ１０は、ソケットハウジング１２と、ソケットハウジング１２の外面に連結されるロックアーム１５とを備えており、ベースコネクタ３０と組み合わされて使用される。ベースコネクタ３０は、ラッチ部３６を有するベースハウジング３１を備えており、回路基板Ｓに固定されている。
【００１８】
なお、以下の説明において、ソケットコネクタ１０とベースコネクタ３０とが組み合わされた状態を「組み合わせ状態」という。また、前記組み合わせ状態において、ソケットコネクタ１０からベースコネクタに向かう方向を「第１方向Ｄ１」といい、第１方向Ｄ１とは反対向きの方向を「第２方向Ｄ２」といい、ロックアーム１５の回動軸に沿う方向を「第３方向Ｄ３」といい、第１方向Ｄ１及び第３方向Ｄ３に直交すると共にソケットハウジング１２の中央部からロックアーム１５に向かう方向又はベースハウジング３１の中央部からラッチ部３６に向かう方向を「第４方向Ｄ４」といい、第４方向Ｄ４とは反対向きの方向を「第５方向Ｄ５」という。
【００１９】
まず、本実施形態のソケットコネクタ１０の構成について、図６〜図９を参照しながら簡単に説明する。
図６〜図９に示すように、本実施形態のソケットコネクタ１０においては、ソケットハウジング１２における第５方向Ｄ５側に、第３方向Ｄ３側にそれぞれ突出する一対の嵌合ガイドリブ５１，５１が設けられている。ソケットハウジング１２における第４方向Ｄ４側に、第３方向Ｄ３側にそれぞれ突出する一対の側面リブ５３，５３が設けられている。ソケットハウジング１２における第５方向Ｄ５側に、第５方向Ｄ５側に突出する浮上り防止リブ５４が設けられている。
【００２０】
次に、本実施形態のソケットコネクタ１０と組み合わされて使用されるベースコネクタ３０について、図１〜図５を参照しながら説明する。
図１〜図５に示すように、ベースコネクタ３０は、回路基板Ｓの表面に固定されるコネクタである。ベースコネクタ３０は、合成樹脂からなるベースハウジング３１と複数の端子３５とを備えている。ベースハウジング３１は、平面視で（第１方向Ｄ１に視た場合に）略矩形状の底板部３８と、略矩形状の底板部３８の４辺から立設する平面視で略矩形枠状の周壁部３２とを備えている。周壁部３２は、必ずしも連続していないが、全体として略矩形枠状となっている。
【００２１】
略矩形枠状の周壁部３２は、第４方向Ｄ４側に位置すると共に第３方向Ｄ３に延びる前壁部３２ａと、第５方向Ｄ５側に位置すると共に第３方向Ｄ３に延びる後壁部３２ｃと、前壁部３２ａの両端部と後壁部３２ｃの両端部とを繋ぐように、第４方向Ｄ４（第５方向Ｄ５）に延びる一対の側壁部３２ｂ，３２ｂと、を備える。前壁部３２ａにおける第４方向Ｄ４側の外面に、ラッチ部３６が設けられている。後壁部３２ｃの高さは、ソケットコネクタ１０のケーブル１１（詳細は後述）との干渉を避けるために、前壁部３２ａ及び側壁部３２ｂの高さと比べて低くなっている。
【００２２】
ベースコネクタ３０の底板部３８における第４方向Ｄ４（前壁部３２ａ）側の領域は、第２方向Ｄ２側に盛り上がり、台座部３４を形成している。台座部３４は、前壁部３２ａに隣接して、第３方向Ｄ３に沿って延びる直方体形状を有している。台座部３４における第３方向Ｄ３の中央部近傍には、第１方向Ｄ１に凹むと共に第４方向Ｄ４に沿って延びる２条の第１逃げ部３３が形成されている。第１逃げ部３３は、組み合わせ状態において、ソケットコネクタ１０におけるストッパ２３（詳細は後述）との干渉を避けるために設けられる。
【００２３】
また、前壁部３２ａにおけるラッチ部３６よりも第３方向Ｄ３の外側の位置には、第２逃げ部３２ｄが形成されている。第２逃げ部３２ｄは、第１方向Ｄ１に凹んでいる。第２逃げ部３２ｄは、組み合わせ状態において、ソケットコネクタ１０における支点部１５ｃ及び連接部１８との干渉を避けるために設けられる。
【００２４】
端子３５は、金属片からなり、台座部３４から第２方向Ｄ２側に突出するソケット側接続部３５ａと、底板部３８を介して前壁部３２ａから第４方向Ｄ４側に突出する基板側接続部３５ｂとを備える。ソケット側接続部３５ａは、組み合わせ状態において、ソケットコネクタ１０におけるケーブル１１の端子１１ａ（図３参照）と電気的に接続する。基板側接続部３５ｂは、回路基板Ｓにおける配線などに電気的に接続されると共に、半田付けなどにより回路基板Ｓに機械的に固定される。
【００２５】
一対の側壁部３２ｂ，３２ｂの第４方向Ｄ４の中央部には、第３方向Ｄ３の内側に向けて突出した側壁部第１凸部３２ｅが形成されている。前壁部３２ａと側壁部第１凸部３２ｅとの間に、側面リブ用溝４３が形成されている。
また、一対の側壁部３２ｂ，３２ｂの第５方向Ｄ５側には、第３方向Ｄ３の内側に向けて突出した側壁部第２凸部３２ｆが形成されている。側壁部第１凸部３２ｅと側壁部第２凸部３２ｆとの間に、嵌合ガイドリブ用溝４１が形成されている。
また、後壁部３２ｃの第４方向Ｄ４側には、浮上り防止リブ用溝４４が形成されている。
【００２６】
側面リブ用溝４３は、ベースハウジング３１に設けられ、ソケットハウジング１２における一対の側面リブ５３，５３（詳細は後述）をベースハウジング３１における第４方向Ｄ４側で且つ第１方向Ｄ１側の位置に誘導する一対の溝である。側面リブ用溝４３は、側壁部３２ｂにおける第２方向Ｄ２側の端部から底板部３８の上面に亘って、第１方向Ｄ１に延びている。また、側面リブ用溝４３は、組み合わせ状態において側面リブ５３を収納可能となっている。
【００２７】
嵌合ガイドリブ用溝４１，４１は、ベースハウジング３１に設けられ、ソケットハウジング１２における一対の嵌合ガイドリブ５１，５１（詳細は後述）をベースハウジング３１における第５方向Ｄ５側で且つ第１方向Ｄ１側の位置に誘導する溝である。嵌合ガイドリブ用溝４１は、側壁部３２ｂにおける第２方向Ｄ２側の端部から底板部３８の上面に亘って、第１方向Ｄ１に延びている。また、嵌合ガイドリブ用溝４１は、その第５方向Ｄ５側で且つ第１方向Ｄ１側の位置に、嵌合ガイドリブ係止部４２を備えている。嵌合ガイドリブ係止部４２は、第５方向Ｄ５に延びると共に組み合わせ状態において嵌合ガイドリブ５１を収納可能となっている。つまり、嵌合ガイドリブ用溝４１は、全体として、側壁部３２ｂにおける第２方向Ｄ２側の端部から第１方向Ｄ１に延びると共に、底板部３８の上面において第５方向Ｄ５に向けて屈曲し、側面視において略Ｌ字形状を有している。
【００２８】
浮上り防止リブ用溝４４は、ベースハウジング３１に設けられ、第５方向Ｄ５に延びると共に、組み合わせ状態においてソケットハウジング１２における浮上り防止リブ５４（詳細は後述）を収納可能な溝である。浮上り防止リブ用溝４４は、ベースハウジング３１の後壁部３２ｃにおける第１方向Ｄ１側に位置し、第４方向Ｄ４側に開口している。
【００２９】
ベースコネクタ３０においては、底板部３８（台座部３４を含む）及び略矩形枠状の周壁部３２によって包囲された収容空間３９が形成される。収容空間３９は、第２方向Ｄ２側が開放している。組み合わせ状態において、収容空間３９には、ソケットハウジング１２における第１方向Ｄ１側の大部分が収容される。
【００３０】
ベースハウジング３１の前壁部３２ａの外面（第４方向Ｄ４側の面）には、ラッチ部３６が設けられている。ラッチ部３６は、ソケットコネクタ１０におけるロックアーム１５のフック部１５ａ（詳細は後述）と係合する。ラッチ部３６の外面側には、ラッチ部３６における第２方向Ｄ２側から第１方向Ｄ１に向かうと共に第４方向Ｄ４に向かって傾斜するラッチ斜面部３７ｂと、ラッチ斜面部３７ｂにおける第１方向Ｄ１側に位置する係合突起３７ａとが設けられている。
【００３１】
次に、前述したベースコネクタ３０と組み合わされて使用される、本実施形態のソケットコネクタ１０について、図１〜図３及び図６〜図９を参照しながら説明する。
図１〜図３及び図６〜図９に示すように、本実施形態のソケットコネクタ１０は、ソケットハウジング１２と、ロックアーム１５と、ケーブル１１とを備える。
ソケットハウジング１２は、全体視で略直方体形状を有している。ロックアーム１５は、ソケットハウジング１２の第４方向Ｄ４側の外面に連結されている。図３に示すように、ケーブル１１は、その端子１１ａがソケットハウジング１２の内部に配置されており、その他端部側がソケットハウジング１２から第５方向Ｄ５に延出している。ケーブル１１の端子１１ａは、組み合わせ状態において、ベースコネクタ３０の端子３５と電気的に接続する。
【００３２】
ソケットハウジング１２においては、第２方向Ｄ２側における第４方向Ｄ４に沿う縁部は、第３方向Ｄ３の外側に延出し、つば部１２ａを形成している。つば部１２ａは、ソケットコネクタ１０の着脱時にソケットハウジング１２の摘みやすさを向上させる。
【００３３】
ソケットハウジング１２における第４方向Ｄ４に沿う一対の側面には、第３方向Ｄ３の内側に向かって凹んだ外面凹部２４，２４が形成されている。外面凹部２４は、組み合わせ状態において、ベースコネクタ３０の側壁部第１凸部３２ｅと対向する位置に設けられると共に、側壁部第１凸部３２ｅよりも若干大きい形状を有している。従って、側壁部第１凸部３２ｅは、ソケットコネクタ１０とベースコネクタ３０とを組み合わせる際に、外面凹部２４に第１方向Ｄ１に挿入され、挿入ガイドとして機能する。
【００３４】
ソケットハウジング１２の側面における外面凹部２４よりも第４方向Ｄ４側及び第５方向Ｄ５の部分は、外面凹部２４に対して相対的に第３方向Ｄ３の外側に突出することになる。ソケットハウジング１２の側面における外面凹部２４よりも第５方向Ｄ５の部分から、第３方向Ｄ３の外側に突出する、一対の嵌合ガイドリブ５１，５１及び一対の延長リブ５２，５２が形成されている。
【００３５】
詳述すると、嵌合ガイドリブ５１は、ソケットハウジング１２における第５方向Ｄ５側に、第３方向Ｄ３の外側にそれぞれ突出するように設けられている。嵌合ガイドリブ５１は、ソケットハウジング１２の側面における第５方向Ｄ５側で且つ第１方向Ｄ１側に位置している。延長リブ５２は、嵌合ガイドリブ５１と一体的に形成されており、嵌合ガイドリブ５１からつば部１２ａに亘って延びている。詳細には、延長リブ５２は、嵌合ガイドリブ５１における第４方向Ｄ４側から第２方向Ｄ２に延びると共に、第４方向Ｄ４に向けて屈曲し、つば部１２ａに繋がっている。
嵌合ガイドリブ５１及び延長リブ５２は、ソケットコネクタ１０とベースコネクタ３０とを組み合わせる際に、嵌合ガイドリブ用溝４１に第１方向Ｄ１に挿入され、挿入ガイドとして機能する。
【００３６】
ソケットハウジング１２の側面における外面凹部２４よりも第４方向Ｄ４の部分から、第３方向Ｄ３の外側に突出する一対の側面リブ５３，５３が形成されている。
詳述すると、ソケットハウジング１２における第４方向Ｄ４側に、第３方向Ｄ３の外側にそれぞれ突出する一対の側面リブ５３，５３が設けられている。側面リブ５３には、側面リブ傾斜部５３ａが形成されている。側面リブ傾斜部５３ａは、側面リブ５３における第４方向Ｄ４側で且つ第１方向Ｄ１側に、第５方向Ｄ５側に且つ第１方向Ｄ１側に向けて傾斜している。
側面リブ５３は、ソケットコネクタ１０とベースコネクタ３０とを組み合わせる際に、側面リブ用溝４３に第１方向Ｄ１に挿入され、挿入ガイドとして機能する。
【００３７】
ソケットハウジング１２における第５方向側に、第５方向Ｄ５側に突出する浮上り防止リブ５４が設けられている。詳細には、ソケットハウジング１２の後部１２ｃには、ケーブル１１が挿入される矩形のケーブル挿入孔１２ｄが設けられている。浮上り防止リブ５４は、ケーブル挿入孔１２ｄにおける第１方向Ｄ１側の辺に沿って、第３方向Ｄ３に延びている。従って、浮上り防止リブ５４は、ソケットハウジング１２における第１方向Ｄ１側に位置している。
【００３８】
ロックアーム１５は、第１方向Ｄ１に延びるフック部１５ａと、第２方向Ｄ２に延びる力点部１５ｂと、フック部１５ａと力点部１５ｂの間に位置し且つソケットハウジング１２の外面に連接される支点部１５ｃとを備える。ロックアーム１５は、支点部１５ｃを中心にフック部１５ａ及び力点部１５ｂが回動可能に構成されている。
【００３９】
フック部１５ａは、全体視で板状であり、その先端部（第１方向Ｄ１側の端部）は、第５方向Ｄ５側に突出する係合突起となっている。フック部１５ａは、支点部１５ｃを支点として第３方向Ｄ３に沿う回動軸を中心に回動し、第５方向Ｄ５側に向けて又は第４方向Ｄ４側に向けて、所定角度の範囲で回動自在になっている。力点部１５ｂが第５方向Ｄ５に回動された状態において、フック部１５ａには、第５方向Ｄ５に向けて回動するように付勢力が生じる。
【００４０】
力点部１５ｂは、全体視で板状であり、その先端部（第２方向Ｄ２側の端部）は、第４方向Ｄ４側に膨出する膨出部となっている。該膨出部は、力点部１５ｂを指などで押す際の押しやすさを向上させるために設けられている。力点部１５ｂは、支点部１５ｃを挟んでフック部１５ａの反対側に位置している。力点部１５ｂは、支点部１５ｃを支点として第３方向Ｄ３に沿う回動軸を中心に回動し、第４方向Ｄ４側に向けて又は第５方向Ｄ５側に向けて、所定角度の範囲で回動自在になっている。
【００４１】
ソケットハウジング１２は当接面２１を有する。当接面２１は、ソケットハウジング１２における支点部１５ｃと連接する連接部１８に位置すると共に、組み合わせ状態においてベースコネクタ３０における第２方向Ｄ２側の端面と当接する面である。本実施形態においては、当接面２１は、ベースコネクタ３０の周壁部３２の前壁部３２ａにおける第２方向Ｄ２側の端面と当接する。
【００４２】
支点部１５ｃは、第３方向Ｄ３に離間して２個（１対）設けられる。つまり、支点部１５ｃは、第３方向Ｄ３には非連続となっている。支点部１５ｃは、当接面２１よりも第１方向Ｄ１側に位置している。
【００４３】
ソケットハウジング１２には、開放空間２０が形成されている。開放空間２０は、連接部１８における第１方向Ｄ１側に形成された、第１方向Ｄ１側に開放する空間である。
開放空間２０は、前記組み合わせ状態において、ベースコネクタ３０におけるラッチ部３６が連結される周壁部３２（つまり前壁部３２ａ）が収容される空間である。
【００４４】
ソケットハウジング１２は、ストッパ２３を備える。ストッパ２３は、フック部１５ａが支点部１５ｃを中心に回動した際に、開放空間２０へのフック部１５ａの過剰な進入を阻止するために設けられる。「開放空間２０へのフック部１５ａの過剰な進入を阻止する」とは、開放空間２０へフック部１５ａを全く進入させない場合のみならず、開放空間２０にフック部１５ａが進入したとしても支点部１５ｃの機能が失われない範囲で、開放空間２０へのフック部１５ａの進入を阻止することを意味する。支点部１５ｃの機能が失われる例としては、支点部１５ｃの破断、破壊、塑性変形などが挙げられる。
【００４５】
ストッパ２３は、第３方向Ｄ３に離間して２個設けられている。ストッパ２３は、ソケットコネクタ１０とベースコネクタ３０とを組み合わせる際に、第１逃げ部３３の内部に案内されるように形成されている。ストッパ２３は、組み合わせ状態において第１逃げ部３３と対向する位置に設けられると共に、第１逃げ部３３よりも若干小さい形状を有している。
【００４６】
前述の構成を有するソケットコネクタ１０とベースコネクタ３０とは、図１〜図３に示すように、次のように組み合わされ、ソケット−ベースコネクタ対が形成される。側壁部第１凸部３２ｅと外面凹部２４とを対向させ、嵌合ガイドリブ５１と嵌合ガイドリブ用溝４１とを対向させ、側面リブ５３と側面リブ用溝４３とを対向させ、開放空間２０と周壁部３２の前壁部３２ａとを対向させ、ストッパ２３と第１逃げ部３３とを対向させ、支点部１５ｃと第２逃げ部３２ｄとを対向させた状態において、ソケットコネクタ１０とベースコネクタ３０とを第１方向Ｄ１又は第２方向Ｄ２に相対的に接近させる。その結果、側壁部第１凸部３２ｅが外面凹部２４に挿入され、嵌合ガイドリブ５１が嵌合ガイドリブ用溝４１に挿入され、側面リブ５３が側面リブ用溝４３に挿入され、周壁部３２の前壁部３２ａが開放空間２０に挿入され、ストッパ２３が第１逃げ部３３に挿入され、支点部１５ｃが第２逃げ部３２ｄに挿入される。
【００４７】
特に、図１０及び図１１に示す手順で、ソケットコネクタ１０とベースコネクタ３０とが組み合わされることが好ましい。図１０（Ａ）、図１０（Ｂ）、図１１（Ａ）及び図１１（Ｂ）は、ソケットコネクタ１０とベースコネクタ３０との組み合わせ手順を順次示す模式図である。なお、図１０及び図１１において、ソケットコネクタ１０を２点鎖線で示している。
【００４８】
まず、ソケットコネクタ１０のソケットハウジング１２について、その第５方向Ｄ５側を第１方向Ｄ１側に傾け、嵌合ガイドリブ５１を嵌合ガイドリブ用溝４１に向けて挿入する。つまり、側面リブ５３が側面リブ用溝４３に挿入するよりも先に、嵌合ガイドリブ５１を嵌合ガイドリブ用溝４１に挿入する。
【００４９】
ソケットコネクタ１０について傾きをほぼ維持した状態で、ベースコネクタ３０に向けて第１方向Ｄ１に移動させる。ある時点で、側面リブ５３の側面リブ傾斜部５３ａが側面リブ用溝４３における第４方向Ｄ４の壁に接触する。この時点で、嵌合ガイドリブ５１は、嵌合ガイドリブ用溝４１における嵌合ガイドリブ係止部４２の近傍に位置している。また、浮上り防止リブ５４は、浮上り防止リブ用溝４４の近傍に位置している。
【００５０】
更に、ソケットコネクタ１０を更に第１方向Ｄ１に移動させると、側面リブ５３は、側面リブ用溝４３から第５方向Ｄ５向きの反力を受ける。そのため、嵌合ガイドリブ５１は、嵌合ガイドリブ係止部４２に滑り込むように導入され、収容される。同様に、浮上り防止リブ５４は、浮上り防止リブ用溝４４に滑り込むように導入され、収容される。
このように、嵌合ガイドリブ５１が嵌合ガイドリブ係止部４２に収容され、また、浮上り防止リブ５４が浮上り防止リブ用溝４４に収容されると、ソケットハウジング１２における第５方向Ｄ５側がベースハウジング３１から離れる方向に（すなわち第４方向Ｄ４に）移動しそうになったとしても、嵌合ガイドリブ５１が嵌合ガイドリブ係止部４２に係止され、また、浮上り防止リブ５４が浮上り防止リブ用溝４４に係止されるため、ソケットハウジング１２における第５方向Ｄ５側がベースハウジング３１から分離しにくい。
【００５１】
なお、延長リブ５２は、嵌合ガイドリブ５１の補強部材として機能する。すなわち、ソケットコネクタ１０とベースコネクタ３０との組み合わせの過程において、嵌合ガイドリブ５１には、折れ曲がる方向の負荷が掛かるところ、本実施形態においては、嵌合ガイドリブ５１と一体的に形成された延長リブ５２を備えているため、例えば、嵌合ガイドリブ５１が嵌合ガイドリブ用溝４１などに引っ掛かり、嵌合ガイドリブ５１に折れ曲がる方向の負荷が掛かったとしても、嵌合ガイドリブ５１が折れ曲がりにくい。
【００５２】
嵌合ガイドリブ係止部４２への嵌合ガイドリブ５１の収容及び浮上り防止リブ用溝４４への浮上り防止リブ５４の収容の後又はそれとほぼ同時に、ロックアーム１５のフック部１５ａは、ラッチ部３６のラッチ斜面部３７ｂを摺動して、支点部１５ｃを中心に第４方向Ｄ４に回動しながら、係合突起３７ａを乗り越え、ラッチ部３６に係合する。このように、フック部１５ａとラッチ部３６とが係合されることにより、ソケットコネクタ１０とベースコネクタ３０との結合状態が維持される。
【００５３】
一方、ソケットコネクタ１０とベースコネクタ３０との結合状態を解除する際には、力点部１５ｂを押すことにより、フック部１５ａが支点部１５ｃを中心に第４方向Ｄ４に回動する。その状態で、ソケットコネクタ１０とベースコネクタ３０とを第１方向Ｄ１又は第２方向Ｄ２に相対的に離間させることにより、ソケットコネクタ１０とベースコネクタ３０の結合状態を解除することができる。
【００５４】
以上の構成を有する本実施形態のソケットコネクタ１０によれば、以下の効果が奏される。
本実施形態のソケットコネクタ１０においては、ソケットハウジング１２における第５方向Ｄ５側に、第３方向Ｄ３の外側にそれぞれ突出する一対の嵌合ガイドリブ５１が設けられ、ベースハウジング３１に、一対の嵌合ガイドリブ５１をベースハウジング３１における第５方向Ｄ５側で且つ第１方向Ｄ１側の位置に誘導する一対の嵌合ガイドリブ用溝４１が設けられている。そのため、例えば、前述のソケットコネクタ１０とベースコネクタ３０との組み合わせ手順に示すように、ソケットハウジング１２における第５方向Ｄ５側をベースハウジング３１に向けて安定的に移動させることができるため、ソケットハウジング１２がベースハウジング３１に完全に組み合わされた状態でロックアーム１５とラッチ部３６とを容易に係合することができる。
【００５５】
また、嵌合ガイドリブ用溝４１は、その第５方向Ｄ５側で且つ第１方向Ｄ１側の位置に、第５方向Ｄ５に延びると共に組み合わせ状態において嵌合ガイドリブ５１を収納可能な嵌合ガイドリブ係止部４２を備えている。そのため、ソケットハウジング１２における第５方向Ｄ５側がベースハウジング３１から離れる方向に（すなわち第２方向Ｄ２に）移動しそうになったとしても、嵌合ガイドリブ５１が嵌合ガイドリブ係止部４２に係止されるため、ソケットハウジング１２における第５方向Ｄ５側がベースハウジング３１から分離しにくい。従って、ロックアーム１５の支点部１５ｃが破損しにくい。
【００５６】
また、ソケットハウジング１２における第４方向Ｄ４側に、第３方向Ｄ３の外側にそれぞれ突出する一対の側面リブ５３が設けられ、ベースハウジング３１に、一対の側面リブ５３をベースハウジング３１における第４方向Ｄ４側で且つ第１方向Ｄ１側の位置に誘導する一対の側面リブ用溝４３が設けられている。そのため、ソケットハウジング１２における第４方向Ｄ４側をベースハウジング３１に向けて安定的に移動させることができる。
【００５７】
また、側面リブ５３における第４方向Ｄ４側で且つ第１方向Ｄ１側に、第５方向Ｄ５側に且つ第１方向Ｄ１側に向けて傾斜する側面リブ傾斜部５３ａが形成されている。そのため、側面リブ５３を側面リブ用溝４３に挿入する過程において側面リブ傾斜部５３ａが側面リブ用溝４３に接触した場合に、側面リブ５３が側面リブ用溝４３にスムーズに挿入されやすいと共に、側面リブ傾斜部５３ａが側面リブ用溝４３から反力を受ける。その結果、嵌合ガイドリブ５１が嵌合ガイドリブ用溝４１の最深部（特に嵌合ガイドリブ係止部４２）に向けて移動しやすい。
【００５８】
また、ソケットハウジング１２における第５方向Ｄ５側に、第５方向Ｄ５側に突出する浮上り防止リブ５４が設けられ、ベースハウジング３１に、第５方向Ｄ５に延びると共に組み合わせ状態において浮上り防止リブ５４を収納可能な浮上り防止リブ用溝４４が設けられている。そのため、ソケットハウジング１２における第５方向Ｄ５側がベースハウジング３１から離れる方向に（すなわち第２方向Ｄ２に）移動しそうになったとしても、浮上り防止リブ５４が浮上り防止リブ用溝４４に係止されるため、ソケットハウジング１２における第５方向Ｄ５側がベースハウジング３１から分離しにくい。従って、ロックアーム１５の支点部１５ｃが破損しにくい。
【００５９】
以上、本発明のソケットコネクタの実施形態について説明したが、本発明は前述した実施形態に制限されるものではなく、適宜変更が可能である。
例えば、ソケットハウジング１２において、嵌合ガイドリブ５１、延長リブ５２、側面リブ５３、側面リブ傾斜部５３ａ、浮上り防止リブ５４などの位置、大きさ、形状などに特に制限はない。側面リブ傾斜部５３ａは、側面リブ５３における第４方向Ｄ４側の部分の全域に設けることもできる。側面リブ傾斜部５３ａに代えて、側面リブ５３における第４方向Ｄ４側の部分に丸みを付すこともできる。
【００６０】
また、ベースハウジング３１において、嵌合ガイドリブ用溝４１、嵌合ガイドリブ係止部４２、側面リブ用溝４３、浮上り防止リブ用溝４４などの位置、大きさ、形状などに特に制限はない。
各リブ５１、５３、５４に面取り又は丸みを付したり、各溝４１、４３、４４に面取りや丸みを付することにより、各溝４１、４３、４４への各リブ５１、５３、５４の挿入性を向上させることができる。
【００６１】
嵌合ガイドリブ５１の長さ（嵌合ガイドリブ係止部４２への挿入方向に沿う長さ）を長くしたり、嵌合ガイドリブ係止部４２の深さ（嵌合ガイドリブ５１の挿入方向に沿う長さ）を深くすることにより、嵌合ガイドリブ５１と嵌合ガイドリブ係止部４２との接触面積を増加させ、嵌合ガイドリブ５１と嵌合ガイドリブ係止部４２との係止性を一層向上させることができる。
【００６２】
同様に、浮上り防止リブ５４の長さ（浮上り防止リブ用溝４４への挿入方向に沿う長さ）を長くしたり、浮上り防止リブ用溝４４の深さ（浮上り防止リブ５４の挿入方向に沿う長さ）を深くすることにより、浮上り防止リブ５４と浮上り防止リブ用溝４４との接触面積を増加させ、浮上り防止リブ５４と浮上り防止リブ用溝４４との係止性を一層向上させることができる。
【００６３】
ソケットコネクタ１０において、ケーブル１１は第５方向Ｄ５以外の方向（例えば第２方向Ｄ２）に延びていてもよい。
ロックアーム１５の支点部１５ｃは、３個以上設けることもできる。
【図面の簡単な説明】
【００６４】
【図１】本発明の一実施形態のソケットコネクタ１０とベースコネクタ３０とを分離した状態でソケットコネクタ１０側から視た斜視図である。
【図２】図１に示すソケットコネクタ１０とベースコネクタ３０とを組み合わせた状態でソケットコネクタ１０側から視た斜視図である。
【図３】組み合わされた状態のソケットコネクタ１０及びベースコネクタ３０を、図５に示すＡ−Ａ線で切断した断面図である。
【図４】（Ａ）及び（Ｂ）は、ソケットコネクタ１０と組み合わせて使用されるベースコネクタ３０を示す斜視図である。
【図５】（Ａ）は、図４に示すベースコネクタ３０を示す平面図、（Ｂ）は、（Ａ）に示すＡ−Ａ線断面図、（Ｃ）は、（Ａ）に示すＢ−Ｂ線断面図である。
【図６】（Ａ）及び（Ｂ）は、本発明の一実施形態のソケットハウジング１２の斜視図である。
【図７】（Ａ）は、図６に示すソケットコネクタ１０を示す平面図、（Ｂ）は、ソケットコネクタ１０の側面図、（Ｃ）は、（Ａ）に示すＣ−Ｃ線断面図である。
【図８】図６に示すソケットハウジング１２について、図７（Ａ）に示すＤ−Ｄ線で切断した断面斜視図である。
【図９】図６に示すソケットハウジング１２について、図７（Ａ）に示すＥ−Ｅ線で切断した断面斜視図である。
【図１０】（Ａ）及び（Ｂ）は、ソケットコネクタ１０とベースコネクタ３０との組み合わせ手順を順次示す模式図である。
【図１１】（Ａ）及び（Ｂ）は、ソケットコネクタ１０とベースコネクタ３０との組み合わせ手順を順次示す模式図である。
【図１２】特許文献１に記載のソケット−ベースコネクタ対について、ロックアーム及びラッチ部を通るように切断した断面図である。
【符号の説明】
【００６５】
１０  ソケットコネクタ
１２  ソケットハウジング
１５  ロックアーム
３０  ベースコネクタ
３１  ベースハウジング
３６  ラッチ部
４１  嵌合ガイドリブ用溝
４２  嵌合ガイドリブ係止部
４３  側面リブ用溝
４４  浮上り防止リブ用溝
５１  嵌合ガイドリブ
５３  側面リブ
５３ａ  側面リブ傾斜部
５４  浮上り防止リブ
Ｄ１  第１方向
Ｄ２  第２方向
Ｄ３  第３方向
Ｄ４  第４方向
Ｄ５  第５方向
Ｓ  回路基板
【図１】
2010027532.tif 000003
【図２】
2010027532.tif 000004
【図３】
2010027532.tif 000005
【図４】
2010027532.tif 000006
【図５】
2010027532.tif 000007
【図６】
2010027532.tif 000008
【図７】
2010027532.tif 000009
【図８】
2010027532.tif 000010
【図９】
2010027532.tif 000011
【図１０】
2010027532.tif 000012
【図１１】
2010027532.tif 000013
【図１２】
2010027532.tif 000014